(57)【特許請求の範囲】
【請求項１】
洗浄水を貯溜する洗浄水タンクと、該洗浄水タンクの上方に設けられ所定の経路により供給される水を吐出する吐水口を構成する吐水部と、を備える衛生洗浄装置において、
前記洗浄水タンクを覆うタンクカバー部、および前記タンクカバー部と一体成形され、前記吐水口から吐出される水を受けるボール面を有する手洗い鉢部を含むタンクカバー本体と、
前記タンクカバー本体の内部空間を前記タンクカバー本体の背面側から開口させる開口部に取り付けられ、前記開口部に形成される開口を覆う背面カバー体と、
を備えることを特徴とする衛生洗浄装置。
【請求項２】
前記背面カバー体は、前記タンクカバー本体の上面側から操作可能な位置に、前記タンクカバー本体からの取外し用の操作部を有することを特徴とする請求項１に記載の衛生洗浄装置。
【請求項３】
前記背面カバー体または前記タンクカバー本体は、
前記背面カバー体が前記開口部に取り付けられた状態の前記タンクカバー本体が前記タンクカバー部によって前記洗浄水タンクを覆うように組み付けられる過程で、前記吐水部に水を供給する給水管を前記吐水口に連通させるための所定の姿勢となるように前記給水管をガイドするリブ状のガイド部を有することを特徴とする請求項１または請求項２に記載の衛生洗浄装置。
【請求項４】
前記タンクカバー本体は、該タンクカバー本体の内部に配され前記吐水部に水を供給する給水管と前記タンクカバー本体の外部に設けられる前記吐水部との接続を許容する給水管用開口部を有し、
前記背面カバー体は、
前記背面カバー体が前記開口部に取り付けられた状態の前記タンクカバー本体が前記タンクカバー部によって前記洗浄水タンクを覆うように組み付けられることで、前記給水管の前記吐水口に連通する側の端部を、前記給水管用開口部を介して前記吐水部に接続可能な状態とするガイド面を有することを特徴とする請求項１〜３のいずれか１項に記載の衛生洗浄装置。
【請求項５】
前記タンクカバー本体は、前記タンクカバー部によって前記洗浄水タンクを覆うように組み付けられる姿勢から、前傾姿勢となるように前記タンクカバー本体の背面側と反対側に傾動可能に構成されていることを特徴とする請求項１〜４のいずれか１項に記載の衛生洗浄装置。
【発明の詳細な説明】
【技術分野】
【０００１】
本発明は、水洗便器に洗浄水を供給する衛生洗浄装置に関し、特に、洗浄水を貯溜する洗浄水タンクの上方に手洗い部を備える衛生洗浄装置に関する。
【背景技術】
【０００２】
一般に、洋式便器等の水洗便器に洗浄水を供給する衛生洗浄装置は、洗浄水を貯溜する洗浄水タンクを、水洗便器の後上方に備える。衛生洗浄装置が備える洗浄水タンクは、タンクカバーにより覆われ、衛生洗浄装置を構成する各種機器等とともにタンクカバー内に収納される。
【０００３】
このような衛生洗浄装置には、洗浄水タンクの上方に手洗い部を備える構成のものがある。手洗い部は、手洗い用の水を吐出する吐水口を構成する吐水部（スパウト）と、吐水口から吐出される水を受けるボール面を形成する手洗い鉢とを有する。吐水口から吐出される水は、例えば、水道等の給水源に接続されて洗浄水タンクに水を供給する配管から分岐する、手洗い用の給水管により吐水部に供給される。
【０００４】
このように手洗い部を備える衛生洗浄装置においては、従来、手洗い用の配管の分岐部分や吐水部に対する接続部分のメンテナンス等に対応するため、洗浄水タンクを収納するタンクカバーを分割構造とすることが一般的である（例えば、特許文献１参照）。特許文献１には、タンクカバーが、洗浄水タンクを前側および後側のそれぞれから覆う部分と、洗浄水タンクを上側から覆い手洗い鉢を構成する部分とに分割される構成が開示されている。
【先行技術文献】
【特許文献】
【０００５】
【特許文献１】特開平８−０１３５８１号公報
【発明の概要】
【発明が解決しようとする課題】
【０００６】
しかしながら、従来のようにタンクカバーが分割される構成においては、次のような問題がある。まず、タンクカバーの分割構造においては、分割される部品同士のつなぎ目が外観上現れたり、分割される部品同士の合わせ部分の段差が生じたりするため、外観意匠性を確保することが難しい。
【０００７】
また、タンクカバーの分割構造においては、分割される部品同士の境目部分にゴミが入り込んだり手洗い水のしずくが垂れて水が浸入したりすることを防止することや、タンクカバーの手入れの際の外力による部品同士の外れを防止すること等を考慮する必要があるため、タンクカバーの構造が複雑となりやすい。さらに、分割される部品同士の境目部分は、タンクカバーの掃除の際に引っかかりを生じさせたり、ゴミやホコリ等を詰まらせたりすることから、掃除の妨げとなる場合がある。
【０００８】
一方で、上述のようなタンクカバーが分割構造であることに起因する問題を解消するため、タンクカバーを分割構造ではなく一体の部品で構成することが考えられる。しかし、タンクカバーが一体の部品で構成されると、例えば手洗い部への給水管の接続作業等、タンクカバーの内部における配管作業を行うことが困難となる。こうしたタンクカバー内部における配管作業の困難性は、工場等における製品の組立て過程だけでなく、衛生洗浄装置の設置現場におけるメンテナンス作業の際にも問題となる。以上のように、従来技術によれば、衛生洗浄装置においてタンクカバーを一体化した構成を採用することが困難であった。
【０００９】
本発明は、上記のような事情に鑑みてなされたものであって、構造の複雑化を招くことなく、優れた外観意匠性を得ることができるとともに、手洗い部への給水管の配管作業について良好な作業性を得ることができる衛生洗浄装置を提供する。
【課題を解決するための手段】
【００１０】
本発明の衛生洗浄装置は、洗浄水を貯溜する洗浄水タンクと、該洗浄水タンクの上方に設けられ所定の経路により供給される水を吐出する吐水口を構成する吐水部と、を備える衛生洗浄装置において、前記洗浄水タンクを覆うタンクカバー部、および前記タンクカバー部と一体成形され、前記吐水口から吐出される水を受けるボール面を有する手洗い鉢部を含むタンクカバー本体と、前記タンクカバー本体の内部空間を前記タンクカバー本体の背面側から開口させる開口部に取り付けられ、前記開口部に形成される開口を覆う背面カバー体と、を備える。このような構成により、構造の複雑化を招くことなく、優れた外観意匠性を得ることができるとともに、手洗い部への給水管の配管作業について良好な作業性を得ることができる。
【００１１】
本発明の衛生洗浄装置においては、好ましくは、前記背面カバー体は、前記タンクカバー本体の上面側から操作可能な位置に、前記タンクカバー本体からの取外し用の操作部を有する。このような構成により、衛生洗浄装置の設置現場の状況にかかわらず、背面カバー体の取外しを容易に行うことができ、開口部からのタンクカバー本体の内部のメンテナンス作業を容易に行うことができる。
【００１２】
また、本発明の衛生洗浄装置においては、好ましくは、前記背面カバー体または前記タンクカバー本体は、前記背面カバー体が前記開口部に取り付けられた状態の前記タンクカバー本体が前記タンクカバー部によって前記洗浄水タンクを覆うように組み付けられる過程で、前記吐水部に水を供給する給水管を前記吐水口に連通させるための所定の姿勢となるように前記給水管をガイドするリブ状のガイド部を有する。このような構成により、タンクカバー本体の組付けを容易に行うことができ、組付け作業性を向上することができる。
【００１３】
また、本発明の衛生洗浄装置においては、好ましくは、前記タンクカバー本体は、該タンクカバー本体の内部に配される前記給水管と前記タンクカバー本体の外部に設けられる前記吐水部との接続を許容する給水管用開口部を有し、前記背面カバー体は、前記背面カバー体が前記開口部に取り付けられた状態の前記タンクカバー本体が前記タンクカバー部によって前記洗浄水タンクを覆うように組み付けられることで、前記給水管の前記吐水口に連通する側の端部を、前記給水管用開口部を介して前記吐水部に接続可能な状態とするガイド面を有する。このような構成により、タンクカバー本体の組付けを容易に行うことができ、組付け作業性を向上することができる。
【００１４】
また、本発明の衛生洗浄装置においては、好ましくは、前記タンクカバー本体は、前記タンクカバー部によって前記洗浄水タンクを覆うように組み付けられる姿勢から、前傾姿勢となるように前記タンクカバー本体の背面側と反対側に傾動可能に構成されている。このような構成により、背面カバー体を取り外すことで、開口部を介して、タンクカバー本体内における手洗い部への給水管のメンテナンスを容易に行うことができる。
【００１５】
本発明の衛生洗浄装置は、洗浄水を貯溜する洗浄水タンクと、該洗浄水タンクの上方に設けられ所定の経路により供給される水を吐出する吐水口を構成する吐水部と、を備える衛生洗浄装置において、前記洗浄水タンクを覆うタンクカバー部、および前記タンクカバー部と一体成形され、前記吐水口から吐出される水を受けるボール面を有する手洗い鉢部を含むタンクカバー本体と、前記タンクカバー本体の内部空間を前記タンクカバー本体の側面側から開口させる開口部に取り付けられ、前記開口部に形成される開口を覆う側面カバー体と、を備える。このような構成により、構造の複雑化を招くことなく、優れた外観意匠性を得ることができるとともに、手洗い部への給水管の配管作業について良好な作業性を得ることができる。
【発明の効果】
【００１６】
本発明によれば、構造の複雑化を招くことなく、優れた外観意匠性を得ることができるとともに、手洗い部への給水管の配管作業について良好な作業性を得ることができる。
【図面の簡単な説明】
【００１７】
【図１】本発明の一実施形態に係る衛生洗浄装置の構成を示す斜視図。
【図２】本発明の一実施形態に係る衛生洗浄装置の構成を示す側面一部断面図。
【図３】本発明の一実施形態に係る衛生洗浄装置の構成を示す背面図。
【図４】本発明の一実施形態に係る衛生洗浄装置の内部構造を示す一部断面斜視図。
【図５】本発明の一実施形態に係る衛生洗浄装置の内部構造を示す斜視図。
【図６】本発明の一実施形態に係る衛生洗浄装置のタンクカバーの構成を示す斜視図。
【図７】本発明の一実施形態に係る衛生洗浄装置のタンクカバーの構成を示す斜視図。
【図８】本発明の一実施形態に係る衛生洗浄装置の背面カバー体の構成を示す斜視図。
【図９】本発明の一実施形態に係る衛生洗浄装置の背面カバー体の構成を示す正面図。
【図１０】本発明の一実施形態に係る衛生洗浄装置の背面カバー体の構成を示す一部拡大側面図。
【図１１】本発明の一実施形態に係る衛生洗浄装置の背面カバー体の構成を示す一部拡大斜視図。
【図１２】本発明の一実施形態に係る衛生洗浄装置のリブ状のガイド部の別構成を示す斜視図。
【図１３】本発明の一実施形態に係る衛生洗浄装置の背面カバー体の構成を示す一部拡大側面断面図。
【図１４】本発明の一実施形態に係る衛生洗浄装置の前傾状態を示す側面図。
【図１５】本発明の一実施形態に係る衛生洗浄装置の前傾状態を示す平面図。
【図１６】本発明の別実施形態に係る衛生洗浄装置の構成を示す斜視図。
【発明を実施するための形態】
【００１８】
本発明は、洗浄水タンクを収納するタンクカバーの一体化を図るとともに、タンクカバー内に設けられ手洗い部へ水を供給する給水管に対する、タンクカバーの外部からのアクセスを可能とするための構成を備えることで、手洗い用の給水管の配管作業についての作業性を確保しつつ、優れた外観意匠性を得ようとするものである。以下、本発明の実施の形態を説明する。
【００１９】
図１〜図５に示すように、本実施形態に係る衛生洗浄装置１は、いわゆる洋式の水洗便器２に備え付けられるものであり、水洗便器２のボール部を洗浄するための洗浄水を貯溜する洗浄水タンク３を、水洗便器２の後上方に備える。洗浄水タンク３は、タンクカバー４により覆われ、衛生洗浄装置１を構成する各種機器等とともにタンクカバー４内に収納される。
【００２０】
本実施形態の衛生洗浄装置１においては、衛生洗浄装置１に対して水洗便器２が位置する側（図２において下側）を下側とし、その反対側（同図において上側）を上側とする。また、同じく衛生洗浄装置１において、水洗便器２上において洗浄水タンク３が位置する側（図２において右側）を後側とし、その反対側（同図において左側）を前側とする。
【００２１】
衛生洗浄装置１は、タンクカバー４の前側の下部に、水洗便器２のボール部の上端縁部に対応する便座５と、水洗便器２のボール部を上側から便座５上から覆う便蓋６とを有する。便座５および便蓋６は、いずれもタンクカバー４の前側の下部に設けられるヒンジユニットにて連結され、このヒンジユニットの部分を回動軸部分として、上下方向に開閉可能に設けられる。
【００２２】
衛生洗浄装置１は、水洗便器２の使用者（以下単に「使用者」ともいう。）が手を洗うために用いられる手洗い部７を備える。手洗い部７は、手洗い用の水を吐出する吐水口８ａを構成するスパウト８を有する。スパウト８は、タンクカバー４の上端部の後側に取り付けられ、前側上方に延設されて、吐水口８ａにより下側に向けて水を吐出する。吐水口８ａから吐出される水は、タンクカバー４の上部に設けられるボール面９により受けられる。
【００２３】
このように、スパウト８は、洗浄水タンク３の上方に設けられ所定の経路により供給される水を吐出する吐水口８ａを構成する吐水部として機能する。吐水口８ａから吐出される水は、洗浄水タンク３に水を供給するための配管から分岐する手洗い用の給水管１０によりスパウト８に供給される。
【００２４】
具体的には、図３に示すように、洗浄水タンク３には、水道等の給水源からの水が、給水配管１１からバルブユニット１２を介して供給される。給水配管１１は、バルブユニット１２の下流側であって洗浄水タンク３の内部に、配管分岐部１１ａを有する。この配管分岐部１１ａにおいて、給水配管１１が、洗浄水タンク３の給水用の給水口１３と、手洗い用の給水管１０とに分岐される。これにより、給水配管１１によって供給される給水源からの水が給水管１０によってスパウト８に供給される。
【００２５】
バルブユニット１２は、定流量弁および給水バルブを含む。バルブユニット１２を構成する定流量弁は、給水源から供給される水量を一定量に規制する。同じくバルブユニット１２を構成する給水バルブは、その開閉動作によって、給水源からの洗浄水タンク３内への給水・止水を切り替える。
【００２６】
つまり、給水バルブが開弁することにより、給水配管１１によって供給される給水源からの水が、配管分岐部１１ａから分岐される給水口１３から洗浄水タンク３内に供給される。なお、給水バルブの開閉動作は、洗浄水タンク３内に設けられる水位センサの検知信号に基づいて、衛生洗浄装置１が備えるコントローラにより制御される。一方、給水配管１１から供給される水の一部は、洗浄水タンク３内の配管分岐部１１ａにおいて給水口１３とは異なる開口部に接続される給水管１０により、スパウト８に供給される。
【００２７】
洗浄水タンク３内の水は、洗浄水タンク３の下端部に設けられる排水口１４から排出され、水洗便器２の内部に形成される導水路を通って水洗便器２のボール部に供給される。洗浄水タンク３内の水の排水口１４からの排水は、洗浄水タンク３内に設けられる排水バルブ１５を介して行われる。排水バルブ１５が開弁することにより、洗浄水タンク３内の水が排水口１４から排出される。
【００２８】
排水バルブ１５は、洗浄水タンク３に取り付けられる排水用の駆動装置としてのモータ１６により駆動される。駆動するモータ１６は、洗浄水タンク３の一側の側面に取り付けられる。モータ１６の動作は、衛生洗浄装置１が備えるコントローラにより制御される。つまり、排水バルブ１５の開閉動作は、モータ１６を介してコントローラにより制御される。
【００２９】
一方、手洗い部７においてスパウト８の吐水口８ａからボール面９に吐出された水は、ボール面９の下端に設けられる流出口１７から洗浄水タンク３内に排出される。流出口１７から排出される水は、流出口１７と洗浄水タンク３との間に設けられる接続部１８を介して洗浄水タンク３内に導かれる。
【００３０】
接続部１８は、円筒状の外形を有し、洗浄水タンク３の上面部に設けられ、流出口１７と洗浄水タンク３の内部空間とを連通させる。接続部１８は、タンクカバー４の内部において、左右方向（図３における左右方向）の略中央に位置する。なお、流出口１７には、排水経路を確保するとともに流出口１７を上側から覆う排水キャップ１７ａが設けられている。
【００３１】
洗浄水タンク３は、箱状のタンク本体３ａと、タンク本体３ａを上側から覆うタンク蓋体３ｂとを有し、上下に分割される構造を有する。したがって、手洗い部７の流出口１７と洗浄水タンク３とを接続する接続部１８は、タンク蓋体３ｂ上に設けられる。
【００３２】
手洗い用の給水管１０は、洗浄水タンク３の内部の配管分岐部１１ａから洗浄水タンク３のタンク蓋体３ｂを貫通してタンク蓋体３ｂの上面から延出される。給水管１０は、タンク蓋体３ｂの上面における左右一端側（図３における左端側）から延出され、接続部１８の後面側に設けられる支持ステー１９に支持され、上方のスパウト８側へと延設される。
【００３３】
支持ステー１９は、略円筒状の接続部１８における外周面の後面側から斜め上方に突出するように設けられる。支持ステー１９は、その先端部に、給水管１０の下流側の部分を起立した状態で支持する支持部１９ａを有する。支持部１９ａは、給水管１０を支持する面として略水平面を形成する。
【００３４】
給水管１０は、例えばゴムホース等の可撓性を有する部材により構成され、上述のとおりタンク本体３ａの左右一端側から延出されて左右方向の中央側に配され、支持ステー１９の支持部１９ａの部分を介して上方に延設される。給水管１０は、支持ステー１９の支持部１９ａ上において起立するように支持される。給水管１０の支持部１９ａ上における起立状態は、給水管１０を覆うホースカバー１０ａにより保持される。
【００３５】
ホースカバー１０ａは、例えば合成樹脂製のスポンジ等の可撓性を有するパイプ状の部材であり、給水管１０の支持部１９ａより上側の部分を挿通させた状態で、支持部１９ａ上における給水管１０の起立状態を保持する。このように、給水管１０は、接続部１８の後方に設けられる支持ステー１９およびホースカバー１０ａにより、左右方向の中央位置において、スパウト８に接続される側となる上側の部分が、起立した状態かつ容易に撓むことができるように柔軟性を有する状態で配される。
【００３６】
給水管１０は、その先端部に、スパウト８に対する接続部１０ｂを有する。接続部１０ｂは、給水管１０において支持部１９ａ上で起立した状態となる部分の先端部に設けられる。接続部１０ｂは、ネジ部等を有する配管接続用の構成である。給水管１０は、接続部１０ｂにより、タンクカバー４の後側の上端に形成される開口部４ａを介して、タンクカバー４の外部に配置されるスパウト８に接続される。これにより、給水管１０からスパウト８への手洗い用の水の給水経路が構成される。
【００３７】
また、衛生洗浄装置１におけるタンクカバー４の前面側の下部には、各種センサの検出部分が配置されるセンサパネル部４ｂが設けられている。センサパネル部４ｂに検出部が配置されるセンサには、使用者である人体を検知するための素子や、衛生洗浄装置１のリモコンからの光を受ける受光素子等が含まれる。
【００３８】
また、本実施形態の衛生洗浄装置１は、使用者の局部洗浄用のノズルを有する局部洗浄装置、局部洗浄用の温水を生成するための熱交換器、水洗便器２内の脱臭を行うための脱臭装置、排水バルブ１５の動作等の衛生洗浄装置１の各部の動作を制御するコントローラ、コントローラ等に接続される各種電装部品、各種弁機構等、各種の装置・機構を備える。このように衛生洗浄装置１が備える各種の装置・機構は、洗浄水タンク３とともにタンクカバー４内に収納される。
【００３９】
以上のような構成を備える衛生洗浄装置１においては、洗浄水タンク３を収納するタンクカバー４が、一体の部品により構成される。厳密に言うと、手洗い部７のボール面９を形成する部分を含み、タンクカバー４の主たる部分を構成する部品として、一体の成形品であるタンクカバー本体２０が用いられている。
【００４０】
つまり、従来は、洗浄水タンクを収納するカバーが前後方向に分割されたり手洗い部のボール面を形成する手洗い鉢の部分が別体の部品として構成されたりしていたのに対し、本実施形態に係るタンクカバー４は、洗浄水タンク３を覆う部分と手洗い部７のボール面９を形成する部分とが一体の部品であるタンクカバー本体２０により構成されている。
【００４１】
そして、タンクカバー４を一体の部品であるタンクカバー本体２０で構成することにともない、タンクカバー４は、次のような構成を備える。タンクカバー４は、衛生洗浄装置１においてタンクカバー４が装着された状態での手洗い用の給水管１０についての配管作業を可能とするため、背面側（後面側）に形成される開口部２１およびこの開口部２１を覆う背面カバー体３０を有する。つまり、開口部２１および背面カバー体３０は、タンクカバー４内に配される手洗い用の給水管１０に対するタンクカバー４の外部からのアクセスを可能とするための構成である。
【００４２】
以下、本実施形態に係るタンクカバー４の構成について、図６〜図９を加えて具体的に説明する。タンクカバー４は、タンクカバー４の主たる部分を構成するタンクカバー本体２０と、タンクカバー本体２０の背面側に形成される開口部２１を覆う背面カバー体３０とを備える。
【００４３】
タンクカバー本体２０は、洗浄水タンク３を覆う部分としてタンクカバー部２２を有する。つまり、タンクカバー部２２は、洗浄水タンク３と、上述のとおり衛生洗浄装置１が備える各種の装置・機構とを収納する部分である。
【００４４】
また、タンクカバー本体２０は、手洗い部７においてボール面９を形成する手洗い鉢部２３を有する。つまり、手洗い鉢部２３は、タンクカバー本体２０においてタンクカバー部２２に対して上側に形成される部分である。手洗い鉢部２３は、タンクカバー部２２と一体成形される部分である。
【００４５】
このように、タンクカバー４を構成するタンクカバー本体２０は、洗浄水タンク３を覆うタンクカバー部２２、およびタンクカバー部２２と一体成形され、吐水口８ａから吐出される水を受けるボール面９を有する手洗い鉢部２３を含む。
【００４６】
タンクカバー本体２０は、タンクカバー４の前側の面、後側の面、左右両側の面のそれぞれを形成する前面部２０ａ、後面部２０ｂ、および左右両側の側面部２０ｃを有する。タンクカバー本体２０が有する前面部２０ａ、後面部２０ｂ、および左右の側面部２０ｃは滑らかに連続するように形成される。タンクカバー本体２０は、前面部２０ａ、後面部２０ｂ、および左右の側面部２０ｃにより、前面視および後面視で略台形形状を有するとともに（図３参照）、平面視で略四角形状を有し、下面側が開口する略箱状に形成される。
【００４７】
また、タンクカバー本体２０においては、上側の面部により、手洗い部７のボール面９が形成される。このため、タンクカバー本体２０の上面部は、平面視での略中心部に向けて全体的に窪む凹面部２０ｄとして形成される。そして、凹面部２０ｄの内側の面（上側の面）により、ボール面９が形成され、凹面部２０ｄにおけるボール面９の周縁部に、スパウト８が設けられる。したがって、上述したようにタンクカバー４の後側の上端に形成される給水管１０接続用の開口部４ａは、ボール面９の周縁部に設けられる。
【００４８】
タンクカバー本体２０の後面部２０ｂに、背面カバー体３０により覆われる開口部２１が形成される。つまり、開口部２１は、タンクカバー本体２０の内部空間をタンクカバー本体２０の背面側から開口させる。開口部２１は、略矩形状の開口部であり、その長手方向が上下方向となるように形成される。
【００４９】
開口部２１は、衛生洗浄装置１において装着された状態のタンクカバー４の外部から、手洗い用の給水管１０についての配管作業ができるような大きさを有する。実際には、開口部２１は、上下方向および左右方向について、上述したように給水管１０の支持ステー１９上にて起立する部分が衛生洗浄装置１の背面側から視認可能な程度の寸法に形成される。開口部２１に、背面カバー体３０が取り付けられ、開口部２１が背面カバー体３０により塞がれる。
【００５０】
背面カバー体３０は、開口部２１の形状に対応して略矩形板状に形成される部材である。背面カバー体３０は、開口部２１に取り付けられることで、開口部２１に形成される開口を覆うとともに、タンクカバー本体２０の後面部２０ｂの一部を形成する。背面カバー体３０の形状や寸法は特に限定されるものではない。また、本実施形態では、背面カバー体３０は開口部２１と略同じ形状である略矩形状を有するが、背面カバー体３０の形状は開口部２１の形状と異なってもよい。
【００５１】
背面カバー体３０は、開口部２１に固定されるため、略矩形状における下辺部に２箇所の係止片３０ａを有し、同じく略矩形状における上辺部に２箇所の係止爪３０ｂを有する。係止片３０ａおよび係止爪３０ｂは、背面カバー体３０の下辺部および上辺部において、それぞれ左右の両側に設けられる。
【００５２】
背面カバー体３０は、下側の係止片３０ａを開口部２１からタンクカバー本体２０の内面側に係止させるとともに、上側の係止爪３０ｂをその弾性変形により開口部２１の上辺部に係止させた状態で、開口部２１に固定される。係止爪３０ｂは、背面カバー体３０の上辺部を固定するための固定用のフックとして機能する。開口部２１の上辺部には、背面カバー体３０の係止爪３０ｂを係止させるための係合部が設けられる。
【００５３】
したがって、背面カバー体３０を開口部２１に取り付ける際には、まず、背面カバー体３０の下側の係止片３０ａを、開口部２１の下辺部においてタンクカバー本体２０の内側に係止させる。そして、係止片３０ａを開口部２１に係止させた状態から、背面カバー体３０の上側を開口部２１に向けて押し付けることにより、背面カバー体３０の上側の係止爪３０ｂが弾性変形することで自動的に開口部２１の上辺部に対して係止される。
【００５４】
ここで、背面カバー体３０の上辺部には、係止爪３０ｂの弾性変形による可動範囲を確保するための開口３０ｃが形成されている。背面カバー体３０の上辺部に開口３０ｃを形成することにより、係止爪３０ｂが設けられる部分の剛性が低下し、背面カバー体３０の取付けにともなう係止爪３０ｂの弾性変形が促される。
【００５５】
このように、タンクカバー４を構成する背面カバー体３０は、タンクカバー本体２０の内部空間をタンクカバー本体２０の背面側から開口させる開口部２１に取り付けられ、開口部２１に形成される開口を覆う。
【００５６】
以上のような構成を備える本実施形態の衛生洗浄装置１によれば、構造の複雑化を招くことなく、優れた外観意匠性を得ることができるとともに、手洗い部７への給水管１０の配管作業について良好な作業性を得ることができる。
【００５７】
具体的には、本実施形態の衛生洗浄装置１によれば、タンクカバー４が一体の成形品であるタンクカバー本体２０により構成されている。このため、従来のタンクカバーの分割構造のように、分割される部品同士の境目部分にゴミが入り込んだり手洗い水のしずくが垂れて水が浸入したりすることを防止することや、タンクカバーの手入れの際の外力による部品同士の外れを防止すること等を考慮する必要がない。これにより、タンクカバーの構造の複雑化を防止することができる。また、本実施形態のタンクカバー４においては、従来のタンクカバーの分割構造のように分割される部品同士の境目部分が存在しないため、タンクカバーの掃除の際に引っかかりが生じたり、ゴミやホコリが詰まったりすることがなく、タンクカバー４の掃除を容易に行うことができる。
【００５８】
また、タンクカバー４が一体の成形品であるタンクカバー本体２０により構成されていることから、従来のタンクカバーの分割構造のような部品同士のつなぎ目や部品同士の合わせ部分の段差が外観上現れないため、優れた外観意匠性を得ることができる。なお、タンクカバー本体２０の開口部２１に取り付けられる背面カバー体３０は、タンクカバー本体２０の背面側に設けられる構成である。このため、使用者による通常の使用に際しての前方からの視認範囲においては、開口部２１および背面カバー体３０の存在は、衛生洗浄装置１の外観意匠性に影響を与えることはなく、タンクカバー本体２０による優れた外観意匠性は確保される。
【００５９】
また、タンクカバー４を構成する部品として一体の成形品であるタンクカバー本体２０が用いられる構成において、背面カバー体３０により覆われる開口部２１が設けられることで、タンクカバー４の内部に配される手洗い用の給水管１０についての配管作業を、タンクカバー４の外部から行うことができる。これにより、手洗い用の給水管１０を含む配管構成についてのメンテナンス性を確保することができる。さらに、本実施形態の衛生洗浄装置１によれば、背面カバー体３０と取り外すだけで、タンクカバー４の内部の手洗い用の給水管１０にアクセスすることができるので、手洗い用の給水管１０を含む配管構成について良好なメンテナンス性を得ることができる。
【００６０】
以下では、背面カバー体３０の具体的な構成について説明する。本実施形態に係る背面カバー体３０は、タンクカバー４の上面側からの操作により、タンクカバー本体２０から取り外せるように構成されている。
【００６１】
具体的には、図１０および図１１に示すように、背面カバー体３０は、上辺部において、タンクカバー本体２０に取り付けられた状態でタンクカバー４の外部となる位置に、係止凹部３１を有する。係止凹部３１は、タンクカバー４の上側から視認可能な位置に設けられる。係止凹部３１は、背面カバー体３０の上辺部の左右略中央位置にて、上側に開口するように形成される。係止凹部３１が、背面カバー体３０をタンクカバー本体２０から取り外すための操作部として用いられる。
【００６２】
背面カバー体３０は、上述のとおり上辺部に設けられる係止爪３０ｂによって開口部２１の上辺部に固定される。このため、背面カバー体３０の係止爪３０ｂによる固定を解除するためには、背面カバー体３０の固定のために押圧する方向と反対方向に引っ張る方向の力が必要となる。そこで、係止凹部３１は、背面カバー体３０の係止爪３０ｂによる固定を解除するための引っ張る方向の力の作用を受ける部分として用いられる。
【００６３】
具体的には、係止凹部３１による背面カバー体３０のタンクカバー本体２０からの取外しは、例えば次のようにして行われる。図１０に示すように、背面カバー体３０の取外しには、例えばマイナスドライバ等の係止凹部３１に係合可能な工具５０が用いられる。工具５０は、タンクカバー４の上側から、背面カバー体３０の係止凹部３１に差し込まれることで、係止凹部３１に係止される。
【００６４】
工具５０の先端が係止凹部３１に係止された状態から、工具５０が、背面カバー体３０に対して係止凹部３１を介して後側に向かう力（矢印Ａ参照）が作用するように操作される。ここでは、例えば、タンクカバー本体２０の後側の上端部分に対する工具５０の接触部分が支点として用いられ、挺子の原理によって上記のような後側に向かう力（矢印Ａ参照）が係止凹部３１を介して背面カバー体３０に作用するように、工具５０が操作される。
【００６５】
このように、背面カバー体３０の係止爪３０ｂによる固定が解除されることで、背面カバー体３０の上側が開口部２１から解放される（図１０、２点鎖線参照）。そして、背面カバー体３０の上側が開口部２１から解放された状態から、背面カバー体３０を上側に持ち上げること等により、係止片３０ａによる背面カバー体３０の下辺部の係止状態も解除され、背面カバー体３０が開口部２１から取り外される。
【００６６】
以上のように、本実施形態では、係止凹部３１が、タンクカバー本体２０の上面側から操作可能な位置に設けられ、タンクカバー本体２０からの取外し用の操作部として機能する。
【００６７】
本実施形態のように、背面カバー体３０が係止凹部３１を有する構成によれば、背面カバー体３０をタンクカバー４の上側からの操作によって容易に取り外すことができる。したがって、背面カバー体３０は、衛生洗浄装置１の製造過程における組立時に取り外せるだけでなく、衛生洗浄装置１が現場に設置された状態においても容易に取り外すことができる。
【００６８】
例えば、図２に示すように、衛生洗浄装置１が、壁５１に対して、タンクカバー本体２０の後面部２０ｂと壁５１との間にわずかなスペースしか存在しない状態で設置される場合であっても、上述したような工具５０によるタンクカバー４の上方からの操作により、背面カバー体３０を容易に取り外すことができる。このように、背面カバー体３０が係止凹部３１を有する構成によれば、衛生洗浄装置１の設置状況にかかわらず、背面カバー体３０を容易に取り外すことができる。したがって、衛生洗浄装置１の設置状況にかかわらず、背面カバー体３０により塞がれる開口部２１からのタンクカバー４内部のメンテナンスを容易に行うことができる。
【００６９】
なお、背面カバー体３０の開口部２１への取付けについても、タンクカバー４の後側に背面カバー体３０を取り外すことができる程度のスペースがあれば、上述したような取付け方によって容易に行うことができる。ここで、係止爪３０ｂを開口部２１に係止させるために背面カバー体３０をタンクカバー本体２０側に押し付ける操作に、係止凹部３１を用いてもよい。
【００７０】
このように、本実施形態の衛生洗浄装置１においては、例えば衛生洗浄装置１が設置現場においてタンクカバー４の背面側が壁５１に近接する位置に設置されている状況においても、背面カバー体３０の着脱作業を容易に行うことができ、開口部２１からのタンクカバー４の内部のメンテナンス作業を容易に行うことができる。
【００７１】
また、背面カバー体３０を取り外すための係止凹部３１は、タンクカバー４の背面側に位置する背面カバー体３０に設けられる部分である。このため、係止凹部３１は、使用者による通常の使用に際しての前方からの視界に入ることがないので、タンクカバー本体２０による優れた外観意匠性は確保される。また、係止凹部３１は使用者による通常の使用に際しての前方からの視界に入ることがなく、係止凹部３１による背面カバー体３０の取外しには工具５０等が必要となるため、背面カバー体３０は不用意に取り外されることがない。
【００７２】
また、本実施形態に係る背面カバー体３０は、背面カバー体３０が取り付けられたタンクカバー本体２０がタンクカバー部２２によって洗浄水タンク３を覆うように組み付けられる過程（以下「カバー組立過程」という。）において、上述したように支持ステー１９によって起立した状態で設けられる給水管１０をガイドするための構成（以下「給水管ガイド構成」という。）を有する。
【００７３】
図８および図９に示すように、背面カバー体３０は、給水管ガイド構成として、背面カバー体３０の内側面部（タンクカバー４の内部空間に面する側の面部）３０ｄに、ガイドリブ３２を有する。ガイドリブ３２は、背面カバー体３０の内側面部３０ｄにおいて、板状の背面カバー体３０の板面に対して略垂直に形成される板状の部分である。ガイドリブ３２は、タンクカバー本体２０が洗浄水タンク３に対して上方から被せられることによる背面カバー体３０の給水管１０に対する相対的な上側から下側への移動にともなって、給水管１０の起立した部分に接触することで、給水管１０の柔軟性を利用して給水管１０をガイドする。
【００７４】
ガイドリブ３２は、左右方向に対向するように形成される一対のリブ部３２ａ、３２ｂにより、背面カバー体３０の内側の面において上下方向（背面カバー体３０の長手方向）の通路を形成する。具体的には、図９に示すように、ガイドリブ３２は、左右のリブ部３２ａ、３２ｂにより形成される部分として、下側から、幅広部３２ｃ、縮小部３２ｄ、幅狭部３２ｅを有する。
【００７５】
幅広部３２ｃは、両リブ部３２ａ、３２ｂの下端部により形成される。幅広部３２ｃは、背面カバー体３０の内側面部３０ｄの下端部において、背面カバー体３０の上下方向に沿うことで左右方向に互いに対向する下リブ部分３２ｆにより形成される。幅広部３２ｃは、カバー組立過程において、給水管１０をその先端側からガイドリブ３２内に誘い込むための部分である。このため、幅広部３２ｃを構成する左右の下リブ部分３２ｆ間の間隔は、比較的大きく確保される。本実施形態では、幅広部３２ｃを構成する一対の下リブ部分３２ｆは、背面カバー体３０の内側面部３０ｄの下側において、左右の両端側に設けられている。
【００７６】
縮小部３２ｄは、両リブ部３２ａ、３２ｂの下リブ部分３２ｆよりも上側の部分により形成される。縮小部３２ｄは、左右のリブ部３２ａ、３２ｂにおいて互いの間隔（ガイドリブ３２の通路の幅、図９において左右方向の寸法）を上側にかけて徐々に狭くするように傾斜する中リブ部分３２ｇにより形成される。縮小部３２ｄは、カバー組立過程において、幅広部３２ｃによりガイドリブ３２に誘い込まれた給水管１０を、左右方向の中央部の位置に向けて導入するための部分である。したがって、縮小部３２ｄを構成する中リブ部分３２ｇ間の間隔は、幅広部３２ｃの部分から、上側にかけて左右方向の中央部に向かうように徐々に狭くなっている。本実施形態では、縮小部３２ｄを構成する一対の中リブ部分３２ｇは、正面視で二等辺三角形状の両側の斜辺に沿うような形状に形成される（図９参照）。
【００７７】
幅狭部３２ｅは、両リブ部３２ａ、３２ｂの中リブ部分３２ｇよりも上側の部分により形成される。幅狭部３２ｅは、背面カバー体３０の内側面部３０ｄの上部において、背面カバー体３０の上下方向に沿うことで左右方向に互いに対向する上リブ部分３２ｈにより形成される。幅狭部３２ｅは、カバー組立過程において、縮小部３２ｄにより導入される給水管１０を背面カバー体３０の上下方向に沿うように姿勢を規制するための部分である。このため、幅狭部３２ｅを構成する左右の上リブ部分３２ｈ間の間隔は、給水管１０の太さ（外径）等に対応して比較的小さくされる。本実施形態では、幅狭部３２ｅを構成する一対の上リブ部分３２ｈは、背面カバー体３０の左右方向の中央位置において、少なくともホースカバー１０ａにより覆われた給水管１０が一対の上リブ部分３２ｈ間に位置することができるような間隔を隔てて形成される。
【００７８】
このように、背面カバー体３０が、給水管ガイド構成として、ガイドリブ３２を有することにより、給水管１０の起立した部分が、タンクカバー４の開口部４ａに対して所定の姿勢となるように自動的にガイドされる。すなわち、給水管１０は、上述したように柔軟性を有することから、接続部１０ｂの重さ等により、タンクカバー４の開口部４ａの位置に対応して直立した状態からずれている場合がある。かかる場合、カバー組立過程において、給水管１０に対するタンクカバー本体２０の上側から下側への相対移動により、給水管１０が、その先端側からガイドリブ３２の幅広部３２ｃによりガイドリブ３２内に誘い込まれる。幅広部３２ｃによりガイドリブ３２内に誘い込まれた給水管１０は、縮小部３２ｄにより左右中央部の幅狭部３２ｅに導かれ、幅狭部３２ｅによって直立した姿勢となるようにガイドされる。なお、図４は、カバー組立過程を示している。
【００７９】
以上のように、本実施形態の衛生洗浄装置１においては、背面カバー体３０が有するガイドリブ３２が、背面カバー体３０が開口部２１に取り付けられた状態のタンクカバー本体２０がカバー組立過程で、スパウト８に水を供給する給水管１０を吐水口８ａに連通させるための所定の姿勢となるように給水管１０をガイドするリブ状のガイド部として機能する。ここで、ガイドリブ３２によりガイドされる給水管１０について所定の姿勢とは、給水管１０の接続部１０ｂがタンクカバー４の開口部４ａに臨み、接続部１０ｂに対してスパウト８を接続することが可能な状態となる姿勢である。
【００８０】
なお、カバー組立過程において給水管１０をガイドするためのガイドリブ３２の形状は、本実施形態に限定されるものではない。例えば、ガイドリブ３２を構成する左右のリブ部３２ａ、３２ｂは、下側から上側にかけて互いの間隔が徐々に狭くなるように形成される連続した曲線状のリブ部分等であってもよい。また、ガイドリブ３２のリブ高さについては、背面カバー体３０と給水管１０との位置関係によって、ガイドリブ３２が給水管１０に作用するように適宜寸法が設定される。
【００８１】
本実施形態のように、背面カバー体３０が、給水管ガイド構成として、ガイドリブ３２を有することにより、カバー組立過程において、タンクカバー本体２０の組付けにともなって、給水管１０が自動的にタンクカバー４の開口部４ａに対して所定の姿勢となるように起立させることができる。これにより、タンクカバー本体２０の組付け時に、組付け作業者が給水管１０を直接触って給水管１０の位置を調整するというような作業を省略することができるので、タンクカバー本体２０の組付けを容易に行うことができ、組付け作業性を向上することができる。
【００８２】
なお、カバー組立過程において、給水管１０を所定の姿勢となるようにガイドするためのガイドリブ３２のようなリブ状のガイド部は、背面カバー体３０側ではなく、タンクカバー本体２０側に設けられてもよい。図１２に、タンクカバー本体２０側にリブ状のガイド部が設けられる場合の構成を示す。
【００８３】
図１２に示すように、タンクカバー本体２０にリブ状のガイド部が設けられる場合、リブ状のガイド部としてのガイドリブ２４は、タンクカバー本体２０においてボール面９を形成する凹面部２０ｄの外側（裏側）の面のうち後側部分である背面部２４ａに設けられる。つまり、給水管１０は、タンクカバー本体２０の内部において、凹面部２０ｄの背面部２４ａと背面カバー体３０の内側面部３０ｄとの間の空間に配されることから、内側面部３０ｄの代わりに凹面部２０ｄの背面部２４ａにガイドリブ２４を設けることで、上述したような内側面部３０ｄのガイドリブ３２と同様に、給水管１０をガイドすることができる。
【００８４】
図１２に示す例では、タンクカバー本体２０側に設けられるガイドリブ２４は、背面カバー体３０側のガイドリブ３２と同様に、下側から、幅広部２４ｃと、縮小部２４ｄと、幅狭部２４ｅとを有する。そして、ガイドリブ２４を構成するリブの高さについては、背面部２４ａと給水管１０との位置関係によって、ガイドリブ２４が給水管１０に作用するように適宜寸法が設定される。
【００８５】
このように、タンクカバー本体２０側にガイドリブ２４が設けられる構成によっても、上述したように背面カバー体３０がガイドリブ３２を有する構成と同様の効果が得られる。ただし、比較的単純な形状である背面カバー体３０のガイドリブ３２の方が、タンクカバー本体２０のガイドリブ２４よりも容易に形成することができる。
【００８６】
また、図１３に示すように、本実施形態に係る背面カバー体３０は、給水管ガイド構成として、背面カバー体３０の内側面部３０ｄに、ガイド面３３を有する。ガイド面３３は、背面カバー体３０の内側面部３０ｄにおいて、上端部の左右中央部に形成され、後側に凸となるように湾曲する曲面である。ガイド面３３は、タンクカバー本体２０が洗浄水タンク３に対して上方から被せられることによる背面カバー体３０の給水管１０に対する相対的な上側から下側への移動にともなって、給水管１０の接続部１０ｂに接触することで、給水管１０の柔軟性を利用して給水管１０をガイドする。
【００８７】
図９に示すように、ガイド面３３は、内側面部３０ｄにおいて、ガイドリブ３２の幅狭部３２ｅ内に凹状面として形成される。ガイド面３３は、その曲面形状により、タンクカバー本体２０を組み付けることで、給水管１０の接続部１０ｂがタンクカバー４の開口部４ａを介してスパウト８に接続可能な状態となるように、給水管１０をガイドする。
【００８８】
図１３に示すように、給水管１０の接続部１０ｂは、ガイド面３３によるガイド作用を受けるため、拡径部分である鍔部１０ｃを有する。つまり、給水管１０は、タンクカバー本体２０が組み付けられることにともなって、鍔部１０ｃをガイド面３３に接触させた状態で、ガイド面３３の曲面形状にならって、接続部１０ｂが開口部４ａに対して案内される（矢印Ｂ１参照）。これにより、給水管１０の接続部１０ｂは、開口部４ａを介してスパウト８に接続可能な状態として、開口部４ａから突出してタンクカバー４の外部に露出した状態となる（矢印Ｂ２参照、２点鎖線参照）。
【００８９】
以上のように、本実施形態の衛生洗浄装置１においては、タンクカバー本体２０は、このタンクカバー本体２０の内部に配される給水管１０とタンクカバー本体２０の外部に設けられるスパウト８との接続を許容する給水管用開口部として開口部４ａを有する。そして、背面カバー体３０は、背面カバー体３０が開口部２１に取り付けられた状態のタンクカバー本体２０がカバー組立過程で、給水管１０の吐水口８ａに連通する側の端部である接続部１０ｂを、開口部４ａを介してスパウト８に接続可能な状態とするガイド面３３を有する。ここで、接続部１０ｂが開口部４ａを介してスパウト８に接続可能な状態には、接続部１０ｂが開口部４ａからタンクカバー４の外部に露出した状態のほか、接続部１０ｂの少なくとも一部がタンクカバー４内に位置する状態であって、接続部１０ｂにスパウト８を接続することができる状態が含まれる。
【００９０】
なお、カバー組立過程において給水管１０をガイドするためのガイド面３３の形状は、本実施形態に限定されるものではない。ガイド面３３の形状は、接続部１０ｂの鍔部１０ｃの形状や大きさ、開口部４ａの位置等との関係において適宜設定される。ガイド面３３としては、例えば曲面ではなく平面であってもよい。
【００９１】
本実施形態のように、背面カバー体３０が、給水管ガイド構成として、ガイド面３３を有することにより、カバー組立過程において、タンクカバー本体２０の組付けにともなって、給水管１０の接続部１０ｂを自動的にタンクカバー４の開口部４ａに対してスパウト８への接続が可能な状態とすることができる。これにより、タンクカバー本体２０の組付け時に、組付け作業者が給水管１０を直接触って給水管１０の位置を調整するというような作業を省略することができるので、タンクカバー本体２０の組付けを容易に行うことができ、組付け作業性を向上することができる。
【００９２】
以上のように、本実施形態の背面カバー体３０は、給水管ガイド構成として、ガイドリブ３２およびガイド面３３を有することから、これらの組み合わせにより、タンクカバー本体２０を組み付けることによって、給水管１０を開口部４ａに対して確実に所定の状態とすることができる。
【００９３】
また、図７〜図９に示すように、背面カバー体３０は、内側面部３０ｄにおいて、左右両側の辺部に、側面リブ３４を有する。側面リブ３４は、背面カバー体３０の開口部２１への取付けに際して、背面カバー体３０のタンクカバー本体２０に対する左右方向の位置決めおよびガイドを行うための部分である。
【００９４】
具体的には、側面リブ３４は、背面カバー体３０の内側面部３０ｄの左右両辺部にて、内側面部３０ｄから突出するように形成される板状の部分である。そして、側面リブ３４は、背面カバー体３０の開口部２１に対する取付け過程で、開口部２１の左右両側の辺部に設けられるガイド板２１ａ（図７、図１２参照）に接触することで、背面カバー体３０を開口部２１に対して左右方向について係止させる。これにより、背面カバー体３０は、開口部２１に対して、左右方向について位置決めされるとともに、上下方向についてはガイドされる。
【００９５】
このように、背面カバー体３０が側面リブ３４を有することで、背面カバー体３０の係止片３０ａによる開口部２１への係止、および係止爪３０ｂによる開口部２１への固定を含む背面カバー体３０の取付け作業をスムーズに行うことができ、作業性を向上することができる。なお、背面カバー体３０の内側面部３０ｄにおいては、ガイドリブ３２および側面リブ３４のほか、ガイドリブ３２と側面リブ３４と間に、左右方向（水平方向）に形成される補強用のリブ３５が設けられている。
【００９６】
また、本実施形態の衛生洗浄装置１においては、タンクカバー本体２０が、組み付けられる姿勢から、前側に傾くような構成が採用されている。具体的には、衛生洗浄装置１において、タンクカバー本体２０は、その下端面が略水平方向に沿う状態で組み付けられる（図２参照）。したがって、タンクカバー本体２０は、洗浄水タンク３等を覆うように上側から被せられ、所定の位置に載置されてセットされた状態で、ボルト等による適宜の方法で固定されることで組み付けられる。
【００９７】
そして、タンクカバー本体２０は、組付けに際して所定の位置にセットされた状態、つまり組付け位置に配置され組付けのための固定が行われていない状態から、前傾姿勢となるように前側に傾くことができるように構成される。したがって、タンクカバー本体２０が組付けに際して所定の位置にセットされ、かつ、タンクカバー本体２０の固定が解除されている状態が、タンクカバー本体２０が前側に傾くことが可能となる、タンクカバー本体２０についての組み付けられる姿勢である。
【００９８】
図１４および図１５は、タンクカバー本体２０が前側に傾いている状態の一例を示す。図１４および図１５に示すように、タンクカバー本体２０は、組み付けられる姿勢から、前側の下端部を支点部分として前側に傾く。タンクカバー本体２０の前側への傾き度合いは、図１４に示す衛生洗浄装置１の側面視において、タンクカバー本体２０の組み付けられる姿勢では水平面に沿うタンクカバー本体２０の下端面の位置の、水平面に対する角度θの大きさとして表れる。つまり、タンクカバー本体２０が、組み付けられる姿勢から、後側から持ち上げられることにより、タンクカバー本体２０の前側の下端部は所定の載置面に接触しつつ、タンクカバー本体２０の後側が浮いた状態で、タンクカバー本体２０が前傾姿勢となる。
【００９９】
このようにタンクカバー本体２０が前側に傾動することにより、タンクカバー本体２０は、タンクカバー本体２０の内部においてタンクカバー本体２０の後面部２０ｂの直前に位置する給水管１０に接触することとなる。しかし、給水管１０は、上述したように柔軟性を有することから、タンクカバー本体２０の前側への傾動が許容される。
【０１００】
また、タンクカバー本体２０を前側へ傾動可能にするために、タンクカバー４内において、タンクカバー本体２０の傾動を許容する空間が確保される。したがって、タンクカバー４内に収納される洗浄水タンク３を含む各種の装置・機構については、例えば洗浄水タンク３と後面部２０ｂとの間の隙間等が考慮され、タンクカバー本体２０の傾動を許容する空間が確保されるような構成・レイアウトが採用される。言い換えると、タンクカバー本体２０について所望の前傾角度が得られるように、タンクカバー４内における洗浄水タンク３のレイアウト等が決められる。
【０１０１】
以上のように、本実施形態の衛生洗浄装置１においては、タンクカバー本体２０は、タンクカバー部２２によって洗浄水タンク３を覆うように組み付けられる姿勢から、前傾姿勢となるようにタンクカバー本体２０の背面側と反対側（前側）に傾動可能に構成されている。
【０１０２】
本実施形態のように、タンクカバー本体２０が前側に傾動可能に構成されることにより、タンクカバー本体２０を上側に引き上げることなく、タンクカバー本体２０を前側に傾けることで、背面カバー体３０が取り外された状態の開口部２１から、タンクカバー４の内部を容易に視認することができる（図１５参照）。つまり、タンクカバー本体２０が前側に傾けられることにより、開口部２１が、タンクカバー４の上方からタンクカバー４の内部を視認するための窓として用いられる。これにより、背面カバー体３０を取り外すことで、開口部２１を介して、タンクカバー４内における手洗い部７への給水管１０のメンテナンスを容易に行うことができる。
【０１０３】
以上説明した実施形態の衛生洗浄装置１においては、給水管１０の配管作業を行うための開口部２１および背面カバー体３０が、タンクカバー本体２０の背面側に設けられている。これは、衛生洗浄装置１の外観意匠性を確保するため、使用者による通常の使用に際しての前方からの視認範囲に入らない位置に開口部２１および背面カバー体３０を設けるという観点に基づく。
【０１０４】
したがって、開口部２１および背面カバー体３０が設けられる位置は、タンクカバー本体２０の側面側であってもよい。このように、給水管１０の配管作業を行うための構成がタンクカバー本体２０の側面側に設けられる場合について、本発明の別実施形態として説明する。
【０１０５】
図１６は、本発明の別実施形態に係る衛生洗浄装置１０１を示す。なお、本実施形態の説明においては、上述した実施形態と共通する部分については同一の符号を用いて説明を省略する。
【０１０６】
本実施形態に係る衛生洗浄装置１０１は、タンクカバー部２２、およびタンクカバー部２２と一体成形される手洗い鉢部２３を含むタンクカバー本体１２０と、タンクカバー本体１２０の内部空間をタンクカバー本体１２０の側面側から開口させる開口部１２１に取り付けられ、開口部１２１に形成される開口を覆う側面カバー体１３０とを備える。
【０１０７】
このように、使用者による通常の使用に際しての前方からの視認範囲に入らない位置として、タンクカバー本体１２０の側面部２０ｃが採用されることによっても、上述したように、構造の複雑化を招くことなく、優れた外観意匠性を得ることができるとともに、手洗い部７への給水管１０の配管作業について良好な作業性を得ることができる。
【０１０８】
なお、開口部１２１および側面カバー体１３０が設けられる位置は、図１６に示すタンクカバー本体１２０の側面部２０ｃの反対側の側面部２０ｃであってもよい。さらに、図示は省略するが、使用者による通常の使用に際しての前方からの視認範囲に入らない位置としては、タンクカバー本体１２０の底面部を採用することもできる。
【符号の説明】
【０１０９】
１      衛生洗浄装置
２      水洗便器
３      洗浄水タンク
４ａ    開口部（給水管用開口部）
８      スパウト（吐水部）
８ａ    吐水口
９      ボール面
１０    給水管
１０ｂ  接続部
２０    タンクカバー本体
２１    開口部
２２    タンクカバー部
２３    手洗い鉢部
３０    背面カバー体
３１    係止凹部（操作部）
３２    ガイドリブ（ガイド部）
３３    ガイド面
【図１】
0005625508.tif 000002
【図２】
0005625508.tif 000003
【図３】
0005625508.tif 000004
【図４】
0005625508.tif 000005
【図５】
0005625508.tif 000006
【図６】
0005625508.tif 000007
【図７】
0005625508.tif 000008
【図８】
0005625508.tif 000009
【図９】
0005625508.tif 000010
【図１０】
0005625508.tif 000011
【図１１】
0005625508.tif 000012
【図１２】
0005625508.tif 000013
【図１３】
0005625508.tif 000014
【図１４】
0005625508.tif 000015
【図１５】
0005625508.tif 000016
【図１６】
0005625508.tif 000017